(57)【要約】【課題】筐体内に熱がこもることなく、かつ、筐体内に埃等を吸い込むリスクやファン装置の寿命のリスクを低減可能な光源装置を提供する。【解決手段】光源装置は、光源と、光源のオン／オフ及び光量を制御する光源制御部と、光源を冷却する冷却ファンと、冷却ファンの回転数を制御するファン制御部と、を備え、ファン制御部は、光源がオンしているときに、冷却ファンが光源の光量に応じた第１の回転数となるように制御し、光源がオフしたときに、所定の待機時間を待って、冷却ファンが第１の回転数よりも低い第２の回転数となるように制御する。【選択図】図３
2020202346.tif 000002
【特許請求の範囲】
【請求項１】
光源と、
前記光源のオン／オフ及び光量を制御する光源制御部と、
前記光源を冷却する冷却ファンと、
前記冷却ファンの回転数を制御するファン制御部と、
を備え、
前記ファン制御部は、
前記光源がオンしているときに、前記冷却ファンが前記光源の光量に応じた第１の回転数となるように制御し、
前記光源がオフしたときに、所定の待機時間を待って、前記冷却ファンが前記第１の回転数よりも低い第２の回転数となるように制御する
ことを特徴とする光源装置。
【請求項２】
光源と、
前記光源のオン／オフを制御する光源制御部と、
前記光源を冷却する冷却ファンと、
前記光源のオン／オフに基づいて、前記冷却ファンの回転数を制御するファン制御部と、
を備え、
前記ファン制御部は、
前記光源がオンしたときに、前記冷却ファンを第１の回転数となるように制御し、
前記光源がオフしたときに、所定の待機時間を待って、前記冷却ファンを前記第１の回転数よりも低い第２の回転数となるように制御する
ことを特徴とする光源装置。
【請求項３】
光源と、
前記光源のオン／オフを制御する光源制御部と、
前記光源の温度を検出する温度センサと、
前記光源を冷却する冷却ファンと、
前記光源のオン／オフ及び前記温度センサの検出結果に基づいて、前記冷却ファンの回転数を制御するファン制御部と、
を備え、
前記ファン制御部は、
前記光源がオンしたときに、前記冷却ファンを第１の回転数となるように制御し、
前記光源がオフしたときに、前記温度センサの検出結果が所定値以下となるのを待って、前記冷却ファンを前記第１の回転数よりも低い第２の回転数となるように制御する
ことを特徴とする光源装置。
【請求項４】
前記ファン制御部は、前記第１の回転数をＲ１、前記第２の回転数をＲ２、前記第１の回転数から前記第２の回転数までの移行時間をＴとしたときに、以下の条件式（１）を満たすように前記冷却ファンの回転数を制御することを特徴とする請求項１から請求項３のいずれか一項に記載の光源装置。
（Ｒ２−Ｒ１）／Ｔ＝ｋ（ｋは、任意の定数）・・・（１）
【請求項５】
前記ファン制御部は、前記移行時間内に前記光源がオンした場合、前記移行時間の経過を待たずに、前記冷却ファンが前記第１の回転数となるように制御することを特徴とする請求項４に記載の光源装置。
【請求項６】
前記ファン制御部が、前記第１の回転数をＲ１、前記光源の光量をＰとしたときに、以下の条件式（２）を満たすように前記冷却ファンの回転数を制御することを特徴とする請求項１から請求項５のいずれか一項に記載の光源装置。
Ｒ１＝ａ・Ｐ＋ｂ（ａ、ｂは、任意の定数）・・・（２）
【請求項７】
前記第２の回転数が、前記冷却ファンの最大回転数の略４０％に設定されていることを特徴とする請求項１から請求項６のいずれか一項に記載の光源装置。
【発明の詳細な説明】
【技術分野】
【０００１】
この発明は、光を出射する光源装置に関し、特に、光源から発せられる熱を冷却する冷却ファンを備えた光源装置に関する。
【背景技術】
【０００２】
従来、紫外光の照射によって硬化するＵＶインクを用いて印刷を行なう印刷装置が知られている。このような印刷装置では、紫外線照射装置を備え、ヘッドのノズルから媒体にインクを吐出した後、媒体に形成されたドットに紫外光を照射するように構成されている。そして、このような紫外線照射装置には、光源に多数の紫外線ＬＥＤが使用されている（例えば、特許文献１）。
【０００３】
特許文献１に記載の紫外線照射装置は、光源として多数の紫外線ＬＥＤ素子を有する紫外線照射ヘッドとＬＥＤ素子の点灯制御等を行うコントローラを備えている。このように光源としてＬＥＤ素子を用いる場合、投入した電力の大半が熱となることから、ＬＥＤ素子自身が発熱する熱によって発光効率と寿命が低下するといった問題が発生する。そして、かかる問題は、特許文献１の紫外線照射装置のように、多数のＬＥＤ素子が搭載された装置の場合、熱源となるＬＥＤ素子が増えることから、さらに深刻なものとなる。このため、特許文献１の紫外線照射装置においては、ＬＥＤ素子に生じた熱を効率よく伝達するヒートシンクとヒートシンクに冷却風を供給する複数のファン装置を備え、ＬＥＤ素子の点灯と同時にファン装置を駆動し、ＬＥＤ素子の消灯と同時にファン装置を停止して、ＬＥＤ素子の発熱を抑えている。
【先行技術文献】
【特許文献】
【０００４】
【特許文献１】特許第６３４９０９８号公報
【発明の概要】
【発明が解決しようとする課題】
【０００５】
特許文献１に記載の紫外線照射装置によれば、ファン装置の駆動制御によってＬＥＤ素子の発熱を抑えることができる。しかしながら、特許文献１の構成は、ＬＥＤ素子の点灯と同時にファン装置を駆動し、ＬＥＤ素子の消灯と同時にファン装置を停止する構成であるため、ＬＥＤ素子の消灯時に紫外線照射装置の筐体内に熱がこもってしまい、ＬＥＤ素子を消灯したにも拘わらず筐体が一向に冷めないといった問題がある。また、ＬＥＤ素子の点灯時にはファン装置が常に１００％の回転数で回るため、周囲の埃等を吸気口（又はファン装置）から吸い込み易く、故障のリスクが増えるといった問題もある。また、ファン装置が１００％の回転数で回る時間が長くなると、ファン装置の寿命が短くなるといった問題も発生する。
【０００６】
本発明は、上記の事情に鑑みてなされたものであり、ＬＥＤ素子を消灯したときに筐体内に熱がこもることを抑制し、かつ、筐体内に埃等を吸い込むリスクやファン装置の寿命のリスクを低減することが可能な光源装置を提供することを目的とする。
【課題を解決するための手段】
【０００７】
上記目的を達成するため、本発明の光源装置は、光源と、光源のオン／オフ及び光量を制御する光源制御部と、光源を冷却する冷却ファンと、冷却ファンの回転数を制御するファン制御部と、を備え、ファン制御部は、光源がオンしているときに、冷却ファンが光源の光量に応じた第１の回転数となるように制御し、光源がオフしたときに、所定の待機時間を待って、冷却ファンが第１の回転数よりも低い第２の回転数となるように制御することを特徴とする。
【０００８】
このような構成によれば、光源がオフしたときにも、冷却ファンが回転し続けるため、筐体内に熱がこもることがない。また、光源がオフしている期間、冷却ファンの回転数が低くなるため、筐体内に埃等を吸い込むリスクや冷却ファンの寿命のリスクが低減する。
【０００９】
また、別の観点からは、本発明の光源装置は、光源と、光源のオン／オフを制御する光源制御部と、光源を冷却する冷却ファンと、光源のオン／オフに基づいて、冷却ファンの回転数を制御するファン制御部と、を備え、ファン制御部は、光源がオンしたときに、冷却ファンを第１の回転数となるように制御し、光源がオフしたときに、所定の待機時間を待って、冷却ファンを第１の回転数よりも低い第２の回転数となるように制御することを特徴とする。
【００１０】
また、別の観点からは、本発明の光源装置は、光源と、光源のオン／オフを制御する光源制御部と、光源の温度を検出する温度センサと、光源を冷却する冷却ファンと、光源のオン／オフ及び温度センサの検出結果に基づいて、冷却ファンの回転数を制御するファン制御部と、を備え、ファン制御部は、光源がオンしたときに、冷却ファンを第１の回転数となるように制御し、光源がオフしたときに、温度センサの検出結果が所定値以下となるのを待って、冷却ファンを第１の回転数よりも低い第２の回転数となるように制御することを特徴とする。
【００１１】
また、ファン制御部は、第１の回転数をＲ１、第２の回転数をＲ２、第１の回転数から第２の回転数までの移行時間をＴとしたときに、以下の条件式（１）を満たすように冷却ファンの回転数を制御することが望ましい。
（Ｒ２−Ｒ１）／Ｔ＝ｋ（ｋは、任意の定数）・・・（１）
また、この場合、ファン制御部は、移行時間内に光源がオンした場合、移行時間の経過を待たずに、冷却ファンが第１の回転数となるように制御することが望ましい。
【００１２】
また、ファン制御部が、第１の回転数をＲ１、光源の光量をＰとしたときに、以下の条件式（２）を満たすように冷却ファンの回転数を制御することが望ましい。
Ｒ１＝ａ・Ｐ＋ｂ（ａ、ｂは、任意の定数）・・・（２）
【００１３】
また、第２の回転数が、冷却ファンの最大回転数の略４０％に設定されていることが望ましい。
【発明の効果】
【００１４】
以上のように、本発明によれば、ＬＥＤ素子を消灯したときに筐体内に熱がこもることなく、かつ、筐体内に埃等を吸い込むリスクやファン装置の寿命のリスクを低減可能な光源装置が実現される。
【図面の簡単な説明】
【００１５】
【図１】図１は、本発明の実施形態に係る光照射装置の外観図である。
【図２】図２は、本発明の実施形態に係る光照射装置の内部構成を説明する図である。
【図３】図３は、本発明の実施形態に係る光照射装置の内部構成の電気的な接続を説明するブロック図である。
【図４】図４は、本発明の実施形態に係る光照射装置で実行される制御プログラムのフローチャートである。
【図５】図５は、図４のフローチャートに対応するタイミングチャートである。
【図６】図６は、本発明の第１の変形例に係る光照射装置の内部構成の電気的な接続を説明するブロック図である。
【図７】図７は、本発明の変形例に係る光照射装置で実行される制御プログラムのフローチャートである。
【図８】図８は、本発明の第２の変形例に係る光照射装置で実行される制御プログラムのフローチャートである。
【図９】図９は、図８のフローチャートに対応するタイミングチャートである。
【発明を実施するための形態】
【００１６】
以下、本発明の実施の形態について図面を参照して詳細に説明する。なお、図中同一又は相当部分には同一の符号を付してその説明は繰り返さない。
【００１７】
図１は、本発明の実施形態に係る光照射装置１（光源装置）の外観図であり、図１（ａ）は、本発明の実施形態に係る光照射装置１の平面図である。また、図１（ｂ）は、図１（ａ）の光照射装置１の右側面図であり、図１（ｃ）は、図１（ａ）の光照射装置１の底面図であり、図１（ｄ）は、図１（ａ）の光照射装置１の正面図である。本実施形態の光照射装置１は、印刷装置等に搭載されて、紫外線硬化型インキや紫外線硬化樹脂を硬化させる光源装置であり、照射対象物の上方に配置され、照射対象物に対してライン状の紫外光を出射する。なお、本明細書においては、図１の座標に示すように、後述するＬＥＤ（Light Emitting Diode）素子２１０が紫外光を出射する方向をＸ軸方向、ＬＥＤ素子２１０の配列方向をＹ軸方向、ならびにＸ軸方向及びＹ軸方向に直交する方向をＺ軸方向と定義して説明する。
【００１８】
図１に示すように、本実施形態の光照射装置１は、内部に光源ユニット２００や放熱部材４００等を収容する薄い箱形のケース１００（筐体）と、ケース１００の前面に取り付けられ紫外光が出射されるガラス製の窓部１０５と、ケース１００の背面に設けられ、ケース１００内の空気を排気する３つのファン１１０（冷却ファン）とを備えている。また、ケース１００の底面には、ケース１００に外部から空気を取り込む吸気口１０２が形成されている。
【００１９】
図２は、本発明の実施形態に係る光照射装置１の内部構成を説明する図であり、図２（ａ）は、光照射装置１を平面視したときの平面透視図である。また、図２（ｂ）は、光照射装置１を右側面から見たときの側面透視図である。また、図２（ｃ）は、光照射装置１を正面から見たときの正面透視図である。また、図３は、本発明の実施形態に係る光照射装置１の内部構成の電気的な接続を説明するブロック図である。
【００２０】
図２に示すように、本実施形態の光照射装置１は、光源ユニット２００と、制御基板３００と、放熱部材４００等をケース１００内部に備えている。
【００２１】
図２に示すように、光源ユニット２００は、Ｙ軸方向及びＺ軸方向で規定される矩形状の基板２０５と、同じ特性を有する１６個のＬＥＤ素子２１０とを備えている。
【００２２】
１６個のＬＥＤ素子２１０は、Ｘ軸方向に光軸が揃えられた状態で、Ｙ軸方向に所定の間隔をおいて基板２０５の表面に一列に配置され、基板２０５と電気的に接続されている。基板２０５は、制御基板３００のＬＥＤ駆動回路３３０と不図示のケーブルによって接続されており、各ＬＥＤ素子２１０には、基板２０５を介してＬＥＤ駆動回路３３０からの駆動電流が供給されるようになっている（図３）。各ＬＥＤ素子２１０に駆動電流が供給されると、各ＬＥＤ素子２１０からは駆動電流に応じた光量の紫外光（例えば、波長３６５ｎｍ）が出射され、光源ユニット２００からはＹ軸方向に平行なライン状の紫外光が出射される。なお、本実施形態の各ＬＥＤ素子２１０は、略一様な光量の紫外光を出射するように各ＬＥＤ素子２１０に供給される駆動電流が調整されており、光源ユニット２００から出射されるライン状の紫外光は、Ｙ軸方向において略均一な光量分布を有している。なお、本実施形態においては、ユーザが、制御基板３００に接続された操作部５００（図１、図２において不図示）を操作することによって光源ユニット２００から出射される紫外光の光量を調整できるようになっている（詳細は後述）。
【００２３】
放熱部材４００は、光源ユニット２００から発せられた熱を放熱する部材である。本実施形態の放熱部材４００は、光源ユニット２００の基板２０５の裏面に密着して配置され、各ＬＥＤ素子２１０で発せられた熱を伝導する板状のベースプレート４１０と、ベースプレート４１０からＸ軸方向と相反する方向に立設し、ベースプレート４１０に伝わった熱を空気中に放熱する放熱フィン４２０とで構成されている（図２（ａ）、（ｂ））。ファン１１０が回転すると、ケース１００内の空気がファン１１０から排気され、吸気口１０２からは外部の空気が取り込まれる。そして、吸気口１０２から取り込まれた空気が放熱フィン４２０の表面を流れるように気流が発生し、放熱フィン４２０が効率よく冷却されるようになっている。
【００２４】
図３に示すように、制御基板３００は、制御部３１０と、記憶部３２０と、ＬＥＤ駆動回路３３０と、ファン駆動回路３４０と、を有し、光源ユニット２００及びファン１１０を制御する回路基板である。
【００２５】
制御部３１０は、論理演算を実行するＣＰＵ、データ等が一時的にストアされるＲＡＭ等から構成され、光照射装置１全体を制御する機能を備えている。制御部３１０は、記憶部３２０、ＬＥＤ駆動回路３３０、ファン駆動回路３４０、操作部５００と電気的に接続されており、光照射装置１に電源が入力されると、記憶部３２０に記憶された制御プログラムを読み出し、これら各部を制御する。つまり、本実施形態の制御部３１０は、ＬＥＤ駆動回路３３０を制御する機能（光源制御部）と、ファン駆動回路３４０を制御する機能（ファン制御部）とを兼ね備えている。
【００２６】
記憶部３２０は、制御部３１０で実行される制御プログラムを保存する、いわゆる不揮発性メモリである。
【００２７】
操作部５００は、ユーザからの入力が行われる、いわゆるユーザインターフェースであり、操作部５００を介して、光源ユニット２００から出射される紫外光の光量の調整、紫外光のオン・オフ等を設定できるように構成されている。
【００２８】
ＬＥＤ駆動回路３３０は、光源ユニット２００と電気的に接続され、各ＬＥＤ素子２１０に駆動電流を供給する回路である。ＬＥＤ駆動回路３３０は、制御部３１０からの指示（信号）に従って、ＬＥＤ素子２１０をオン・オフし、所定の駆動電流を各ＬＥＤ素子２１０に出力する。
【００２９】
ファン駆動回路３４０は、ファン１１０と電気的に接続され、ファン１１０に駆動電力を供給する回路である。ファン駆動回路３４０は、制御部３１０からの指示（信号）に従って、ファン１１０をオン・オフし、所定の回転数でファン１１０を回転させる。
【００３０】
次に、図４のフローチャートを参照し、制御部３１０で実行される制御プログラムについて説明する。制御プログラムは、光照射装置１に電源が入力されたときに、記憶部３２０から読み出され、制御部３１０で実行される処理である。また、図５は、図４の制御プログラムの各ステップに対応するタイミングチャートであり、制御プログラムの各ステップにおける光源ユニット２００とファン１１０の様子を示している。
【００３１】
図４に示すように、制御プログラムが実行されると、制御部３１０は、ユーザが操作部５００を介して光照射装置１のメインスイッチをＯＮしたか否かを判断する。メインスイッチがＯＮしていないと判断した場合は（ステップＳ１０１：ＮＯ）、メインスイッチがＯＮするまでステップＳ１０１を繰り返し、光源ユニット２００及びファン１１０はオフ（つまり、紫外光の光量：０、ファン回転数：０）の状態を維持する（図５：ｔ０〜ｔ１）。そして、メインスイッチがＯＮされると（ステップＳ１０１：ＹＥＳ）処理はステップＳ１０３に進む。
【００３２】
ステップＳ１０３では、制御部３１０は、ファン駆動回路３４０を制御し、ファン１１０を所定の回転数Ｒ２（例えば、最大回転数の４０％の回転数（ｒｐｍ））で駆動する（図５：ｔ１）。ステップＳ１０３の処理が終了すると、処理はステップＳ１０５に進む。
【００３３】
ステップＳ１０５では、制御部３１０は、ユーザが操作部５００を介して光源スイッチ（光源ユニット２００を機能させるためのスイッチ）をＯＮしたか否かを判断する。光源スイッチがＯＮしていないと判断した場合は（ステップＳ１０５：ＮＯ）、光源スイッチがＯＮするまでステップＳ１０３、Ｓ１０５を繰り返し（図５：ｔ１〜ｔ２）、光源スイッチがＯＮされると（ステップＳ１０５：ＹＥＳ）処理はステップＳ１０７に進む。
【００３４】
ステップＳ１０７では、制御部３１０は、ＬＥＤ駆動回路３３０を制御し、光源ユニット２００から出射される紫外光が所定の光量Ｐ（Ｗ）となるように光源ユニット２００の各ＬＥＤ素子２１０に駆動電流を供給する（図５：ｔ２）。ステップＳ１０７の処理が終了すると、処理はステップＳ１０９に進む。
【００３５】
ステップＳ１０９では、制御部３１０は、ファン駆動回路３４０を制御し、ファン１１０を回転数Ｒ２よりも高い所定の回転数Ｒ１（例えば、最大回転数の９０％の回転数（ｒｐｍ））で駆動する（図５：ｔ２）。なお、本実施形態においては、回転数Ｒ１は、Ｒ１＝ａ×Ｐ（ａは任意の定数）となるように、光量Ｐに応じた回転数になっている。ステップＳ１０９の処理が終了すると、処理はステップＳ１１１に進む。
【００３６】
ステップＳ１１１では、制御部３１０は、ユーザが操作部５００を介して光源スイッチをＯＦＦしたか否かを判断する。光源スイッチがＯＦＦしていないと判断した場合は（ステップＳ１１１：ＮＯ）、光源スイッチがＯＦＦするまでステップＳ１１１を繰り返し、光源ユニット２００及びファン１１０はオン（つまり、紫外光の光量：Ｐ、ファン回転数：Ｒ１）の状態を維持する（図５：ｔ２〜ｔ３）。そして、光源スイッチがＯＦＦされると（ステップＳ１１１：ＹＥＳ）処理はステップＳ１１３に進む。
【００３７】
ステップＳ１１３では、制御部３１０は、ＬＥＤ駆動回路３３０を制御し、光源ユニット２００から出射される紫外光を消灯する（図５：ｔ３）。ステップＳ１１３の処理が終了すると、処理はステップＳ１１５に進む。
【００３８】
ステップＳ１１５では、制御部３１０は、所定時間ｔｄ（例えば、２秒）だけ待機し（図５：ｔ４）、処理はステップＳ１１７に進む。
【００３９】
ステップＳ１１７では、制御部３１０は、ユーザが操作部５００を介して光源スイッチをＯＮしたか否かを判断する。光源スイッチがＯＮしていないと判断した場合は（ステップＳ１１７：ＮＯ）、処理はステップＳ１１９に進み、光源スイッチがＯＮされていると判断した場合は（ステップＳ１１７：ＹＥＳ）、処理はステップＳ１０７に進む。
【００４０】
ステップＳ１１９では、制御部３１０は、ファン駆動回路３４０を制御し、ファン１１０の回転数を回転数Ｒ１から回転数Ｒ２まで所定の比率で低下させる（図５：ｔ４〜ｔ５）。つまり、図５に示すように、本実施形態においては、回転数Ｒ１から回転数Ｒ２までの移行時間をＴ（例えば、１０秒）としたときに、以下の条件式（１）を満たすように、ファン駆動回路３４０を制御する。
（Ｒ２−Ｒ１）／Ｔ＝ｋ（ｋは、任意の定数）・・・（１）
ステップＳ１１９の処理が終了すると、処理はステップＳ１２１に進む。
【００４１】
ステップＳ１２１では、制御部３１０は、ファン駆動回路３４０の設定を確認し、ファン１１０の回転数が回転数Ｒ２になったか否かを判断する。そして、ファン１１０の回転数が回転数Ｒ２になっていない場合は（ステップＳ１２１：ＮＯ）、ステップＳ１１７〜Ｓ１２１を繰り返し（図５：ｔ４〜ｔ５）、ファン１１０の回転数が回転数Ｒ２になった場合は（ステップＳ１２１：ＹＥＳ）、処理はステップＳ１２３に進む（図５：ｔ５）。
【００４２】
ステップＳ１２３では、制御部３１０は、ユーザが操作部５００を介してメインスイッチをＯＦＦしたか否かを判断する。メインスイッチがＯＦＦしていないと判断した場合は（ステップＳ１２３：ＮＯ）、処理はステップＳ１０３に進み、メインスイッチがＯＦＦされていると判断した場合は（ステップＳ１２３：ＹＥＳ）、制御部３１０は、ファン１１０を停止させて（ステップＳ１２５）、制御プログラムを終了する。
【００４３】
このように、本実施形態の光照射装置１においては（つまり、制御プログラムが実行されると）、ユーザが操作部５００を介して光源スイッチをＯＮにすると、光源ユニット２００からは所定の光量Ｐの紫外光が出射され、ファン１１０は回転数Ｒ１で駆動される（図５：ｔ２〜ｔ３）。そして、光源スイッチがＯＦＦになると、紫外光が消灯された後、所定時間ｔｄを待ってファン１１０の回転数が徐々に低下し（図５：ｔ３〜ｔ５）、回転数Ｒ２で待機する（図５：ｔ５〜ｔ６）。つまり、紫外光が消灯した後もファン１１０が回転し続けるため、ケース１００内に熱がこもることはない。また、紫外光が消灯し、待機状態のときには、ファン１１０の回転数が低くなるため、ケース１００内に埃等を吸い込むリスクやファン１１０の寿命のリスクが低減する。
【００４４】
なお、図５において、ｔ６〜ｔ９は、ステップＳ１１９において、ファン１１０の回転数を低下させているときに、ユーザが操作部５００を介して光源スイッチをＯＮにした場合の様子を示している。つまり、図４において、ステップＳ１１７〜Ｓ１２１を繰り返しているときに（図５：ｔ８〜ｔ９）、移行時間Ｔ１よりも短い時間Ｔ２で光源スイッチのＯＮを検出すると、ファン１１０の回転数が回転数Ｒ２まで低下していないため、処理はステップＳ１０７に進む（ステップＳ１１７：ＹＥＳ）。そして、制御部３１０は、ＬＥＤ駆動回路３３０を制御し、光源ユニット２００から出射される紫外光が所定の光量Ｐとなるように光源ユニット２００の各ＬＥＤ素子２１０に駆動電流を供給する（図５：ｔ９）。このように、本実施形態においては、移行時間Ｔ１中に光源スイッチのＯＮを検出すると、ステップＳ１１７〜Ｓ１２１の処理は中断され、光源ユニット２００からは所定の光量Ｐの紫外光が出射され、ファン１１０は回転数Ｒ１で駆動されるようになっている（図５：ｔ９）。
【００４５】
また、図５において、ｔ９〜ｔ１１は、ステップＳ１１５において、所定時間ｔｄだけ待機しているときに、ユーザが操作部５００を介して光源スイッチをＯＮにした場合の様子を示している。つまり、図４のステップＳ１１５において、所定時間ｔｄだけ待機しているときに、光源スイッチのＯＮを検出すると、処理はステップＳ１１７からステップＳ１０７に進む（つまり、ステップＳ１１９に進むことはない）。そして、制御部３１０は、ＬＥＤ駆動回路３３０を制御し、光源ユニット２００から出射される紫外光が所定の光量Ｐとなるように光源ユニット２００の各ＬＥＤ素子２１０に駆動電流を供給する（図５：ｔ１１）。このように、本実施形態においては、所定時間ｔｄの待機中（Ｔ３の期間中）に光源スイッチのＯＮを検出すると、ステップＳ１１７〜Ｓ１２１の処理は行われず（つまり、ファン１１０の回転数は低下することなく）、光源ユニット２００からは所定の光量Ｐの紫外光が出射され、ファン１１０は回転数Ｒ１を維持するように駆動されるようになっている（図５：ｔ１１）。
【００４６】
以上が本実施形態の説明であるが、本発明は、上記の構成に限定されるものではなく、本発明の技術的思想の範囲内において様々な変形が可能である。例えば、本実施形態のステップＳ１０９において、回転数Ｒ１は、Ｒ１＝ａ×Ｐ（ａは任意の定数）となるように設定されている（つまり、回転数Ｒ１と光量Ｐは正比例の関係にある）としたが、以下の条件式（２）に示すように、一次関数として一般化することができる。
Ｒ１＝ａ・Ｐ＋ｂ（ａ、ｂは、任意の定数）・・・（２）
また、必ずしも回転数Ｒ１と光量Ｐは比例関係にある必要はなく、回転数Ｒ１が所定の回転数に設定されてもよい。
【００４７】
また、本実施形態においては、回転数Ｒ２は、最大回転数の４０％の回転数であるものとして説明したが、このような構成に限定されるものではなく、光源ユニット２００の発熱量、放熱部材４００やファン１１０の冷却能力等によって適宜設定することができる。
【００４８】
また、本実施形態のステップＳ１１５において、所定時間ｔｄ（例えば、２秒）だけ待機するものとして説明したが、このような構成に限定されるものではなく、所定時間ｔｄは、光源ユニット２００の発熱量、放熱部材４００やファン１１０の冷却能力等によって適宜設定することができる。
【００４９】
また、本実施形態の光照射装置１は、ケース１００内部に放熱部材４００を有するものとして説明したが、ファン１１０によって光源ユニット２００を冷却することができればよく、必ずしも放熱部材４００は必要ではない。
【００５０】
（第１の変形例）
図６は、本発明の第１の変形例に係る光照射装置１Ａの内部構成の電気的な接続を説明するブロック図である。また、図７は、本変形例の制御部３１０で実行される制御プログラムのフローチャートである。
【００５１】
図６に示すように、本変形例の光照射装置１Ａは、光源ユニット２００の温度を検出する温度センサ６００を有し、本実施形態の制御プログラムのステップＳ１１５に代えて、ステップＳ１１６を有する点で本実施形態の構成と異なっている。
【００５２】
つまり、本変形例においては、光源スイッチがＯＦＦした後（ステップＳ１１１、Ｓ１１３）、制御部３１０は、温度センサ６００の検出結果が所定値（例えば、４０°）以下になるまで待機し（Ｓ１１６：ＮＯ）、温度センサ６００の検出結果が所定値以下になったらファン１１０の回転数を徐々に低下させる（ステップＳ１１７〜Ｓ１２１）。このように、本変形によれば、温度センサ６００の検出結果に基づいてファン１１０の回転数を制御することにより、光源ユニット２００を確実に冷却することが可能となる。
【００５３】
（第２の変形例）
図８は、本発明の第２の変形例に係る光照射装置１Ｂ（図８において不図示）の制御部３１０で実行される制御プログラムのフローチャートである。また、図９は、図８の制御プログラムの各ステップに対応するタイミングチャートであり、制御プログラムの各ステップにおける光源ユニット２００とファン１１０の様子を示している。なお、本変形例に係る光照射装置１Ｂの構成は、本実施形態の光照射装置１と同一であり、制御プログラムのみ異なるものである。
【００５４】
図８に示すように、本変形例の光照射装置１Ｂの制御プログラムは、ステップＳ１０９とステップＳ１０１の間に、ステップＳ１１０ａ、ステップＳ１１０ｂ及びステップＳ１１０ｃを有する点で、本実施形態の光照射装置１の制御プログラムと異なっている。
【００５５】
ステップＳ１１０ａでは、制御部３１０は、ユーザが操作部５００を介して光量の変更操作を行ったか否か（つまり、光量Ｐを変更する操作を行ったか否か）を判断する。光量の変更操作が行われていないと判断した場合は（ステップＳ１１０ａ：ＮＯ）、処理はステップＳ１１１に進み、光量の変更操作が行われたと判断した場合は（ステップＳ１１０ａ：ＹＥＳ）、処理はステップＳ１１０ｂに進む。
【００５６】
ステップＳ１１０ｂでは、制御部３１０は、操作部５００に入力されるユーザ操作に基づいてＬＥＤ駆動回路３３０を制御し、光源ユニット２００から出射される紫外光が所定の光量Ｐ´（「Ｐ´」は、変更後の光量）となるように光源ユニット２００の各ＬＥＤ素子２１０に駆動電流を供給する（図９：ｔ２ａ）。ステップＳ１１０ｂの処理が終了すると、処理はステップＳ１１０ｃに進む。
【００５７】
ステップＳ１１０ｃでは、制御部３１０は、ステップＳ１１０ｂの光量Ｐ´に応じてファン駆動回路３４０を制御し、ファン１１０の回転数Ｒ１を回転数Ｒ１´に変更する（図９：ｔ２ａ）。つまり、回転数Ｒ１´が、Ｒ１´＝ａ×Ｐ´（ａは任意の定数）となるように、回転数が変更される。ステップＳ１１０ｃの処理が終了すると、処理はステップＳ１１１に進む。
【００５８】
ステップＳ１１１では、制御部３１０は、ユーザが操作部５００を介して光源スイッチをＯＦＦしたか否かを判断する。光源スイッチがＯＦＦしていないと判断した場合は（ステップＳ１１１：ＮＯ）、処理はステップＳ１０９に戻り、ステップＳ１１０ａからステップＳ１１０ｃまでの処理が繰り返される（図９：ｔ２ａ〜ｔ３）。そして、光源スイッチがＯＦＦされると（ステップＳ１１１：ＹＥＳ）処理はステップＳ１１３に進む。
【００５９】
このように、本変形例の光照射装置１Ｂにおいては、ユーザが操作部５００を介して光量の変更操作を行うと、ユーザ操作に基づいて光量Ｐが変更され、さらに変更後の光量Ｐ´に応じてファン１１０の回転数Ｒ１もＲ１´に変更される（図９：ｔ２ａ〜ｔ３）。そして、光源スイッチがＯＦＦになると、紫外光が消灯された後、所定時間ｔｄを待ってファン１１０の回転数が徐々に低下し（図９：ｔ３〜ｔ５）、回転数Ｒ２で待機する（図９：ｔ５〜ｔ６）。つまり、本変形例においても、紫外光が消灯した後もファン１１０が回転し続けるため、ケース１００内に熱がこもることはない。また、紫外光が消灯し、待機状態のときには、ファン１１０の回転数が低くなるため、ケース１００内に埃等を吸い込むリスクやファン１１０の寿命のリスクが低減する。
【００６０】
なお、今回開示された実施の形態は、全ての点で例示であって、制限的なものではないと考えられるべきである。本発明の範囲は、上記した説明ではなく、特許請求の範囲によって示され、特許請求の範囲と均等の意味及び範囲内での全ての変更が含まれることが意図される。
【符号の説明】
【００６１】
１        ：光照射装置
１Ａ      ：光照射装置
１Ｂ      ：光照射装置
１００    ：ケース
１０２    ：吸気口
１０５    ：窓部
１１０    ：ファン
２００    ：光源ユニット
２０５    ：基板
２１０    ：ＬＥＤ素子
３００    ：制御基板
３１０    ：制御部
３２０    ：記憶部
３３０    ：ＬＥＤ駆動回路
３４０    ：ファン駆動回路
４００    ：放熱部材
４１０    ：ベースプレート
４２０    ：放熱フィン
５００    ：操作部
６００    ：温度センサ
【図１】
2020202346.tif 000003
【図２】
2020202346.tif 000004
【図３】
2020202346.tif 000005
【図４】
2020202346.tif 000006
【図５】
2020202346.tif 000007
【図６】
2020202346.tif 000008
【図７】
2020202346.tif 000009
【図８】
2020202346.tif 000010
【図９】
2020202346.tif 000011